(57)【要約】      （修正有）【課題】温度調節される支持装置のための軽量であり、比較的廉価に製造でき、簡単に組み付けることができるコネクタを提供する。【解決手段】ベースを備えるコネクタであって、ベースが、ベースから延びる１つまたは複数の支持体と、１つまたは複数の支持体によってベースからずらされたダイバータと、ダイバータのサイズと実質的に同じサイズを有するベースに画定される通路とを含む、コネクタが開示される。ダイバータは、温度調節装置の層を貫通するように構成される。ダイバータは、層が通路を遮断することを抑制する。【選択図】図３
2020008279.tif 000002
【特許請求の範囲】
【請求項１】
ベースを備えるコネクタであって、
前記ベースは、
ｉ．前記ベースから延びる１つまたは複数の支持体と、
ｉｉ．前記１つまたは複数の支持体によって前記ベースからずらされた、ダイバータであって、温度調節装置の層を貫通するように構成される、ダイバータと、
ｉｉｉ．前記ベース内に画定され、前記ダイバータのサイズと実質的に同じサイズを有する、通路と
を含み、
前記ダイバータは、前記層が前記通路を遮断することを抑制する、
コネクタ。
【請求項２】
前記コネクタは、エアムーバに付く下側フランジを含み、
前記ダイバータは、前記通路を通って前記エアムーバと前記層との間を流れる空気を方向転換する、請求項１に記載のコネクタ。
【請求項３】
前記ダイバータは、円錐形であり、前記通路の中心軸と概して位置合わせされる頂点を含む、請求項２に記載のコネクタ。
【請求項４】
前記コネクタは、前記コネクタを前記層に連結する１つまたは複数のボスを含む、請求項１〜３のいずれか一項に記載のコネクタ。
【請求項５】
前記コネクタは、前記コネクタを前記層に単一配向に連結する１つまたは複数の位置合わせポストを含む、請求項１〜４のいずれか一項に記載のコネクタ。
【請求項６】
前記コネクタは、２つの位置合わせポストおよび２つのボスを含み、
一方の位置合わせポストが、前記ボスのうちの一方と前記通路との間に配置され、別の位置合わせポストが、前記通路から離れた方で他方のボスに隣接して配置される、請求項５に記載のコネクタ。
【請求項７】
前記下側フランジは、前記コネクタを前記エアムーバに連結する付勢可能な１つまたは複数のフィンガを含む、請求項２〜６のいずれか一項に記載のコネクタ。
【請求項８】
前記支持体のうちの１つまたは複数は、概して直線形であり、前記ベースに対して概して垂直に延びる、請求項１〜７のいずれか一項に記載のコネクタ。
【請求項９】
前記ダイバータは、前記通路を通って前記エアムーバから前記層に流れる前記空気の方向において拡大する衝突領域を有する、請求項１〜８のいずれか一項に記載のコネクタ。
【請求項１０】
前記ダイバータは、空気分配構造によって画定される開放空間中に延びるように構成され、
前記空気分配構造は、前記層および支持装置のクッション、または前記層およびカバー層を備える、請求項１〜９のいずれか一項に記載のコネクタ。
【請求項１１】
前記コネクタは、振動を減衰させる振動絶縁部を前記ベース上に備え、
前記振動絶縁部は、前記ベースの上面に配設され前記層に接触するか、前記ベースの下面に配設され前記エアムーバのハウジングに接触するか、またはその両方である、請求項１〜１０のいずれか一項に記載のコネクタ。
【請求項１２】
ｉ．請求項１に記載のコネクタと、
ｉｉ．エアムーバと
を備える、温度調節システムであって、
前記コネクタは、前記エアムーバを前記コネクタに取り付ける下側フランジを含み、
ダイバータは、通路を通って前記エアムーバと層との間を移動する空気を方向転換する、
温度調節システム。
【請求項１３】
前記ダイバータは、円錐形であり、前記通路の中心軸と概して位置合わせされる頂点と、前記通路を通って前記エアムーバから前記層に流れる空気の方向において拡大する衝突領域とを含む、請求項１２に記載の温度調節システム。
【請求項１４】
前記温度調節システムは、前記層に連結されて空気分配構造を形成するカバー層を含み、
前記層はスペーサ層であり、
前記コネクタは、前記カバー層と前記スペーサ層との間に画定される開放空間中に延びる上側フランジを含み、
前記空気分配構造が少なくとも部分的に潰されると、前記上側フランジ、前記ダイバータ、またはその両方が、前記スペーサ層、前記カバー層、またはその両方によって前記通路が遮断されることを防止する、
請求項１２または１３に記載の温度調節システム。
【請求項１５】
前記温度調節システムは、前記層と協働して空気分配構造を形成するクッションを含み、
前記層はスペーサ層であり、
前記コネクタは、前記カバー層と前記クッションとの間の画定される開放空間中に延びる上側フランジを含み、
前記空気分配構造が少なくとも部分的に潰されると、前記上側フランジ、前記ダイバータ、またはその両方が、前記スペーサ層、前記クッション、またはその両方によって前記通路が遮断されることを防止し、
前記クッションは乗員を支持する支持装置の一部である、
請求項１２または１３に記載の温度調節システム。
【請求項１６】
前記カバー層は、空気の流れを支持装置に分配する開口部を複数含み、
前記支持装置は車両のシートである、請求項１４に記載の温度調節装置。
【請求項１７】
前記支持体のうちの１つまたは複数は、概して直線形であり、前記ベースに対して概して垂直に延びる、請求項１２〜１６のいずれか一項に記載の温度調節装置。
【請求項１８】
ベースを備えるコネクタであって、
前記ベースは、
ダイバータを含む上側フランジと、
前記上側フランジからずらされた下側フランジと、
前記ベースによって画定され、前記上側フランジと前記下側フランジとの間を延びる、通路であって、前記上側フランジと概して同じサイズを有する、通路と
を備え、
前記上側フランジは、スペーサ層を貫通しかつ／または空気分配構造の開放領域中に少なくとも部分的に延びるように構成され、前記下側フランジは、エアムーバに付くように構成され、
前記上側フランジは、前記スペーサ層、前記空気分配構造、またはその両方が前記通路を遮断することを防止し、
前記ダイバータは、前記エアムーバからの空気の流れを、前記スペーサ層の周りに、または空気分配構造中に、またはその両方において方向転換するように構成される、
コネクタ。
【請求項１９】
前記コネクタは、振動を減衰させかつ／または前記コネクタと前記スペーサ層との間に所望の締付け力を生み出す振動絶縁部を前記ベース上に備える、請求項１８に記載のコネクタ。
【請求項２０】
前記ダイバータは、円錐形であり、概して直線形の複数の支持体を用いて前記ベースからずらされており、
前記ダイバータは、前記通路を通って前記エアムーバから前記スペーサ層に流れる前記空気の方向において拡大する衝突領域を含み、
前記支持体は、前記ベースに概して垂直に延び、
前記円錐形のダイバータは、前記ベースから約１２ｍｍずらされる、
請求項１８または１９に記載のコネクタ。
【発明の詳細な説明】
【技術分野】
【０００１】
本教示は、概して、支持装置に関し、より詳細には、温度調節される支持装置のためのコネクタに関する。
【背景技術】
【０００２】
支持装置とは、乗員を支持する任意の装置とすることができる。例えば、支持装置は、リクライニングチェア、椅子、カウチ、ベッド、座席、および／または同様の物とすることができる。支持装置は、自動車、列車、飛行機で、および／または自宅もしくは事務所など、事実上どこにでも見出すことができる。最近では、温度調節装置は、座面部分、背もたれ部分、アームレスト、ヘッドレスト、フロアパネル、サイドパネルなど、支持装置の様々な部分、またはそれらの組み合わせに追加されている。温度調節装置は、乗員に向かって空気を送ること、乗員の近傍から空気を取り除くこと、またはその両方によって、支持装置を用いて乗員の快適性を強化することができる。乗員に向かって送られる空気は、外気、暖気、冷気、またはそれらの組み合わせとすることができる。
【０００３】
想像できる通り、温度調節装置を支持装置に取り付けることが望ましいことがあるが、一旦取り付けられると、温度調節装置が適切に機能することを保証するにはいくつかの課題がある。例えば、一部の温度調節装置は、エアムーバと空気分配構造との間で空気を移動するように設計される。通常、空気分配構造は、スペーサ層、クッションもしくは座面部分などの支持装置の一部分に取り付けられるスペーサ層、またはカバー層に取り付けられて一緒に袋構造を形成できるスペーサ層を備える。使用中は、空気が、エアムーバから、スペーサ層、空気分配構造、またはその両方に移動でき、そのことは、空気の流路が方向を急に変化させる必要がある場合がある。流路の急な変化は、望ましくないことに、システム内に背圧を引き起こすことがある。さらに、使用中に、乗員が座面部分に着席すると、乗員の体重によって座面部分が縮み、温度調節装置上に潰れることがあり、このことは、望ましくないことに、エアムーバと空気分配構造との間の空気の通路または空気の流れを妨げることがある。さらに、エアムーバを、スペーサ層、空気分配構造、またはその両方に固定して取り付けることが難しい場合があり、支持装置の耐用年数にわたってそれらの間の確実な連結を維持することは特に難しい場合がある。
【０００４】
したがって、必要とされるものは、前述の課題のうちの少なくとも１つに対処できるコネクタである。例えば、乗員の体重などによって支持装置の一部分が縮むときに、エアムーバと、スペーサ層または空気分配構造との間の空気の通路または空気の流れにおける妨害を防止できるコネクタを有することが魅力的なはずである。エアムーバから、スペーサ層または空気分配構造までの空気流の方向の急な変化を避けることができるコネクタを有することが魅力的なはずである。すなわち、それらの間の空気の流れを滑らかに移行して空気流の乱れを低減できるコネクタを有することが望ましいはずである。エアムーバをスペーサ層または空気分配構造に簡単かつ確実に連結できるコネクタを有することが魅力的なはずである。エアムーバと、スペーサ層または空気分配構造との間の連結を、温度調節装置、支持装置、またはその両方の耐用年数にわたって維持できるコネクタを有することが望ましいはずである。軽量であり、比較的廉価に製造でき、簡単に組み付けることができるコネクタを有することが望ましいはずである。
【発明の概要】
【課題を解決するための手段】
【０００５】
本教示は、改良型の支持装置、より詳細には、支持装置のための温度調節装置用のコネクタを提供することに基づく。本明細書では本教示は、エアムーバと、スペーサ層、空気分配構造、またはその両方との間で空気の流れを滑らかに移行できるコネクタを提供する。本教示は、例えば乗員の体重などによって支持装置の一部分が縮むときに、エアムーバと、スペーサ層または空気分配構造との間の空気の通路または空気の流れにおける妨害を防止できるコネクタを提供する。コネクタは、エアムーバをスペーサ層または空気分配構造に簡単かつ確実に連結することができる。コネクタは、温度調節装置、支持装置、またはその両方の耐用年数にわたって、エアムーバと、スペーサ層または空気分配構造との間の連結を維持することができる。コネクタは軽量であり、比較的廉価に製造でき、簡単に組み付けることができる。
【０００６】
本教示はコネクタを提供する。コネクタはベースを備えることができ、そのベースは、ベースから延びる１つまたは複数の支持体と、１つまたは複数の支持体によってベースからずらされたダイバータと、ダイバータのサイズと実質的に同じサイズを有するベースに画定される通路とを含む。ダイバータは、スペーサ層などの温度調節装置の層を通って、または空気分配構造などの概して開放した構造中に延びるように構成される。ダイバータは、層、空気分配構造、またはその両方が通路を遮断することを抑制することができる。ダイバータは、エアムーバと、スペーサ層、空気分配構造、またはその両方との間の空気の流れの方向の急な変化が低減されるかまたは避けられるように、それらの間の空気流を滑らかに移行することもできる。
【０００７】
本教示は温度調節装置も提供する。温度調節装置は、本明細書の教示によるコネクタと、エアムーバとを備えることができる。コネクタの下側フランジは、エアムーバをコネクタに取り付けるように構成され、ダイバータは、エアムーバと層との間を移動する空気を方向転換するように構成される。
【０００８】
本教示はさらに、ダイバータを含む上側フランジと、上側フランジからずらされた下側フランジと、上側フランジと下側フランジとの間を延びる通路とを備えるコネクタを提供する。通路は、上側フランジと概して同じサイズを有する。上側フランジは、少なくとも部分的にスペーサ層を通って、または空気分配構造の開放領域中に延びるように構成される。下側フランジは、エアムーバに付くように構成される。上側フランジは、スペーサ層、カバー層、空気分配構造、またはそれらの組み合わせが通路を遮断することを防止する。ダイバータは、エアムーバからの空気の流れを、スペーサ層の周りに、または空気分配構造中に、またはその両方に方向転換するように構成される。
【図面の簡単な説明】
【０００９】
【図１】本明細書の教示による温度調節装置を含む支持装置を有する車両の側面図である。
【図２】本明細書の教示による温度調節装置の斜視図である。
【図３】本明細書の教示による温度調節装置の分解斜視図である。
【図４Ａ】図２および図３の温度調節装置の一方または両方と共に使用される、本明細書の教示によるコネクタの斜視図である。
【図４Ｂ】図２および図３の温度調節装置の一方または両方と共に使用される、本明細書の教示によるコネクタの斜視図である。
【図４Ｃ】図４Ａの線４Ｃに沿った、図４Ａおよび図４Ｂのコネクタの断面図である。
【図５】振動絶縁部も含む、図４Ａの線４Ｃに沿った、図４Ａおよび図４Ｂのコネクタの断面図である。
【図６】コネクタの断面図である。
【発明を実施するための形態】
【００１０】
本明細書に提示される説明および図表は、本教示、その原理およびその実際の応用例を当業者に知らせることが意図される。当業者は、特定の使用の要件に最も良好に合わせることができる多数の形態で、本教示を適合および応用することができる。したがって、記載されるような本教示の特定の実施形態は、本教示を網羅するものでも限定するのでもない。したがって、本教示の範囲は、上記の記載を基準にして判定されるべきではなく、その代わりに、添付の特許請求の範囲を基準にして、そのような特許請求の範囲が権利を与えられる等価物の全範囲と併せて、判定されるべきである。特許出願および特許公報を含む全ての論文および参考文献の開示は、あらゆる目的のために援用される。以下の特許請求の範囲から集められるような他の組み合わせも可能であり、それらも本明細書においてこの書面による記載に援用される。
【００１１】
本教示は改良型の支持装置を提供することに基づく。より詳細には、本明細書において本教示は、支持装置に取り付けられる温度調節装置用のコネクタを提供する。温度調節装置は、概して、エアムーバおよび空気分配構造を含む。コネクタは、エアムーバを空気分配構造に連結することができる。空気分配構造は、スペーサ層か、座面部分、背もたれ部分などの支持装置の任意の部分に配置される、スペーサ層および隣接するクッションか、または一緒に袋構造を形成できるスペーサ層およびカバー層を備えることができる。コネクタは上側フランジを含み、上側フランジは、隣接するクッション、スペーサ層、空気分配構造、および／またはカバー層が、エアムーバと、スペーサ層または空気分配構造との間を延びる通路における妨害を防止でき、そうすることで、空気がそれらの間を自由に移動できる。上側フランジ、円錐形のダイバータ、ダイバータの衝突領域、またはそれらの組み合わせは、エアムーバから空気分配構造またはスペーサ層への空気の流れの方向を滑らかに分配または移行することができる。コネクタは、エアムーバと、空気分配構造またはスペーサ層との間の確実な連結をもたらすこともできる。連結は、確実ではあるが、エアムーバ、温度調節装置、支持装置、またはそれらの組み合わせの点検を実施できるようにするように着脱可能でもよい。
【００１２】
支持装置は、乗員を支持する任意の装置とすることができる。支持装置は乗員の体重を支持することができる。例えば、支持装置は、リクライニングチェア、椅子、カウチ、ベッド、座席などとすることができる。支持装置は事実上どこにでも配置することができる。例えば、支持装置は、自動車、列車、飛行機などの車両内に、自宅もしくは事務所に、またはそれらの組み合わせに配置することができる。支持装置は、乗員を支持する１つまたは複数の部分を含むことができる。例えば、１つまたは複数の部分は、乗員の臀部および脚部を支持する座面部分、乗員の背中を支持する背もたれ部分、乗員の腕を支持する１つもしくは複数のアームレスト、乗員の頭部および頸部を支持するヘッドレストなど、またはそれらの組み合わせを含むことができる。一部の構成では、１つまたは複数の部分は、スペーサ層と協働して空気分配構造を形成できるクッションを含むことができる。他の構成では、スペーサ層は、カバー層と協働して、袋構造でよい空気分配構造を形成することができる。１つまたは複数の温度調節装置は、支持装置に連結されるかもしくは取り付けられ、支持装置と一体形成され、かつ／または支持装置に組み込まれてよい。好ましくは、座面部分、背もたれ部分、アームレスト、ヘッドレストなど、支持装置の１つまたは複数の部分は、１つまたは複数の温度調節装置を含む。
【００１３】
支持装置は１つまたは複数のクッションを含むことができる。１つまたは複数のクッションは、支持装置の任意の部分に配置することができる。例えば、１つまたは複数のクッションは、座面部分、背もたれ部分、１つもしくは複数のアームレスト、ヘッドレスト支持体、またはそれらの組み合わせに配置することができる。１つまたは複数のクッションは、支持構造に配設される１つまたは複数のコンフォート層とすることができる。１つまたは複数のクッションは、少なくとも部分的に縮むことが可能でありかつ／または少なくとも部分的に体にぴったり合うことができる。１つまたは複数のクッションは、乗員が支持装置と接触状態にあるかまたはその近くにいるときに縮むことができる。１つまたは複数のクッションは、乗員が支持装置と接触状態ではなくなった後またはその近くではなくなった後に、クッションの縮みが解除されて元の状態に戻るように、弾性的とすることができかつ／または記憶材料を含むことができる。１つまたは複数のクッションは、発泡体など任意の適切な材料から作製することができる。１つもしくは複数のクッションは、空気透過性、空気不透過性とすることができるか、または１つもしくは複数のクッションの各部分が空気透過性、空気不透過性とすることができるか、あるいはその両方である。１つまたは複数のクッションは、スペーサ層と協働して空気分配構造を形成することができる。より具体的には、１つまたは複数のクッションの底面または裏面はスペーサ層と協働して空気分配構造を形成することができる。１つまたは複数のクッションはスプリングコアを含むことができる。１つまたは複数のクッションは、単体構造でもよく、支持構造に支持される複数の構造を備えてもよい。１つまたは複数の温度調節装置は、１つまたは複数のクッションに連結されるかまたは取り付けられてもよく、１つまたは複数のクッションと一体形成されてもよい。１つもしくは複数の温度調節装置、またはスペーサ層、空気分配構造、ダクト、ダクトコネクタ、もしくはそれらの組み合わせなどの１つもしくは複数の温度調節装置は、１つまたは複数のクッションの底面または側面に取り付けることができる。１つまたは複数のクッションは、１つもしくは複数の温度調節装置、または、スペーサ層、空気分配構造、ダクト、ダクトコネクタ、もしくはそれらの組み合わせなど１つもしくは複数の温度調節装置の各部分を受けるための、スロット、凹所、または他の任意の開口部もしくは空所を含むことができる。
【００１４】
１つまたは複数の温度調節装置は、支持装置のまたはその近くの乗員の快適性を改善するように機能することができる。１つまたは複数の温度調節装置は、支持装置のもしくはその近くの乗員に向かってかつ／またはそこから離れる方に、空気などの流体を移動することができる。乗員に向かってかつ／またはそこから離れる方に移動される空気は、暖気、冷気、外気またはそれらの組み合わせでよい。１つまたは複数の温度調節装置は、支持装置にまたは支持装置の１つもしくは複数の部分に、連結されるかもしくは取り付けられ、一体形成され、かつ／または組み込まれてよい。１つまたは複数の温度調節装置は、１つもしくは複数のエアムーバ、１つもしくは複数のスペーサ層、１つもしくは複数のスペーサ層を有する１つもしくは複数の空気分配構造、１つもしくは複数のコネクタ、および／またはそれらの任意の組み合わせを含むことができる。
【００１５】
１つまたは複数のエアムーバは、流体を移動するか、流体の流れを作るか、またはその両方を行う任意の装置とすることができる。流体は空気でもよく、水を含む空気（すなわち、ミスト）でもよい。より具体的には、１つまたは複数のエアムーバは、空気を方向付けし、送り、供給し、移動し、押し、かつ／または引く任意の装置とすることができる。１つまたは複数のエアムーバは、支持装置内のまたはその近傍の乗員に向かって空気を送ることができる（プッシュモード）。１つまたは複数のエアムーバは、支持装置内のまたはその近傍の乗員から離れる方に空気を引くことができる（プルモード）。乗員に向かってまたはそこから離れる方に送られる空気は、外気、冷気、暖気、またはそれらの組み合わせでよい。すなわち、１つまたは複数のエアムーブは、乗員に向かって暖気を供給するために、暖房器具上を通るように空気を送ることができる。暖房例は、その上を通りかつ／またはその付近を通る空気を加熱できる任意の適切な装置とすることができる。１つまたは複数のエアムーブは、乗員に向かって冷気を供給するために、冷房器具上を通るように空気を送ることができる。冷房器具は、その上を通りかつ／またはその付近を通る空気を冷却する任意の適切な装置とすることができる。１つまたは複数のエアムーバは、１つまたは複数のファンまたはブロワであってもよく、それを含んでもよい。例えば、１つまたは複数のエアムーバは、１つまたは複数の軸流ファン、ラジアルファン、遠心ファン、横流ファンなどでもよく、それらを含んでもよい。好ましくは、１つまたは複数のエアムーバは１つまたは複数のラジアルファンを含む。１つまたは複数のエアムーバは、単一の速度で動作することができるか、または１つまたは複数のファンは複数速度を有することができ、すなわち、１つまたは複数のエアムーバは、空気を移動するための低速、中速、および高速の設定を少なくとも有することができる。
【００１６】
１つまたは複数のエアムーバはプッシュモードで動作することができる。プッシュモードでは、１つまたは複数のエアムーバは、支持装置を囲繞する大気から空気を引き込むことができる。押される空気は外気、冷気、または暖気でよい。１つまたは複数のエアムーバは、エアムーバからの空気を、コネクタの通路を通して、スペーサ層および／または空気分配構造を通してまたはそれに沿って、支持装置のまたはその近くの乗員に向かって移動するかまたは押すことができる。
【００１７】
１つまたは複数の温度調節装置はプルモードで動作することができる。プルモードは、概してプッシュモードの逆に動作することができる。プルモードでは、１つまたは複数のエアムーバは、支持装置からまたはその近くの空気を引き込むことができる。引き込まれる空気は外気、冷気、または暖気でよい。プルモードでは、エアムーバは、支持層を通して、コネクタの通路を通して、空気を引っ張るかまたは吸い込み、エアムーバに向かってその空気を方向付けることができる。プルモードでは、エアムーバは、カバー層の上側開口部を通して、空気分配構造を通して、支持層を通してもしくはそれに沿って、コネクタの通路を通して空気を引っ張るかもしくは吸い込み、エアムーバに向かって移動するか、またはそれらの組み合わせを行うことができる。
【００１８】
１つまたは複数のスペーサ層は、空気の流れを移動または分配するように機能することができる。１つまたは複数のスペーサ層は、空気が乗員と１つまたは複数のエアムーバとの間またはその逆に移動できるように開放領域を作るように機能することができる。すなわち、１つまたは複数のスペーサ層は、システムがプッシュモード、プルモード、またはその両方で動作しているときに、空気がそれに沿って横方向に移動することを可能にする。例えば、１つまたは複数のスペーサ層は、空気がエアムーバから、カバー層の１つもしくは複数の上側開口部、クッション、またはその両方に、乗員の近傍に向かって流れる（プッシュモードの）ときに、スペーサ層に沿って横方向に、または空気分配システム内で、またはその両方において、空気が移動することを可能にする。それに加えてまたはその代わりに、１つまたは複数のスペーサ層は、空気が乗員の近傍から１つまたは複数のエアムーバに流れる（プルモードの）ときに、スペーサ層に沿って横方向に、または空気分配システム内で、またはその両方において、空気が移動することを可能にする。１つまたは複数のスペーサ層は、特定の領域に、特定の領域から、またはその両方において、流体を方向付けることができる。１つまたは複数のスペーサ層は、前方の層および後方の層とシールすることができる。１つまたは複数のスペーサ層は外気に対して開口することができる。１つまたは複数のスペーサ層からの空気は、スペーサ層を囲繞する支持構造の領域によって方向付けることができる。１つまたは複数のスペーサ層は、支持装置の乗員または荷重を支持するコンフォート層とすることができる。１つまたは複数のスペーサ層は、乗員が支持装置にいるときに、体にぴったり合うことができかつ／または少なくとも部分的に撓むかもしくは縮むことができる。１つまたは複数のスペーサ層は、支持装置にまたはその近くに乗員がいるかまたは荷重があるときに、１つまたは複数のエアムーバの破壊を防止することができる。１つまたは複数のスペーサ層は、支持装置、クッションもしくは支持装置の一部分、またはそれらの組み合わせの撓みを防止することができ、そうすることで、支持装置とエアムーバとの間の空気の流れが抑制も妨害もされない。１つまたは複数のスペーサ層は、支持装置、支持装置の一部分（すなわち、座面部分）、またはクッションの空隙、凹所、または開口部に受けることができる。１つまたは複数のスペーサ層は、支持装置の底面（すなわち、Ｂ側）もしくは側面、クッション、支持装置の一部分、またはそれらの組み合わせに取り付けられて空気分配システムを形成することができる。クッションまたは発泡体は、スペーサ層の上部、側部、またはその両方に沿ってシールして空気分配システムを形成することができる。１つまたは複数のスペーサ層は、カバー層に取り付けて、袋構造でよい空気分配システムを形成することができる。１つまたは複数のスペーサ層は、１つもしくは複数のスペーサ、１つもしくは複数の下側フランジ開口部、またはその両方を有する、ベースまたはキャリアを含むことができる。１つもしくは複数のスペーサ層、キャリア層、またはその両方は、ドイツ連邦共和国のミュラー  テキスティル社（Mueller Textil GmbH）またはアメリカ合衆国ロードアイランド州のミュラー  テキスタイルズ社（Mueller Textiles, Inc.）から市販される、商品名３ＭＥＳＨ（登録商標）として販売される材料から作製することができる。
【００１９】
１つまたは複数のスペーサ層は、キャリア上に配置される１つまたは複数のスペーサを含むことができる。１つまたは複数のスペーサは、１つまたは複数の流体チャネルを作るように機能することができる。好ましくは、１つまたは複数のスペーサは、一緒に連結されて開放領域を形成する流体チャネルを複数形成する。１つまたは複数のスペーサは、クッション内に、空気分配構造に、またはその両方において、空気透過性の空き空間を支持することができる。１つまたは複数のスペーサは、支持装置の乗員の体重による１つまたは複数のエアムーバの破壊を防止することを助けるように機能することができる。１つまたは複数のスペーサは、支持装置、クッションもしくは支持装置の一部分、カバー層、空気分配構造、またはそれらの組み合わせの撓みの防止を助けることができ、その結果、支持装置とエアムーバとの間の空気の流れが抑制も妨害もされず、遮断されないままである。１つまたは複数のスペーサは、スペーサ層、空気分配構造、またはその両方を通る空気流を方向付けるのを助けることができる。１つまたは複数のスペーサは、支持装置の各部分のうちの１つまたは複数に流体が流れるようにする経路を作ることができる。１つまたは複数のスペーサは、エアムーバと、スペーサ層、空気分配構造、またはその両方との間の空気を方向付けるかまたはガイドすることができる。１つまたは複数のスペーサは、変形、破壊、またはその両方に抵抗する３次元の突出部でよい。１つまたは複数のスペーサは剛体とすることができ、かつ／または、乗員または荷重が支持装置上に設けられるときは少なくとも部分的に撓むことができる。１つまたは複数のスペーサは、発泡体材料、平坦なブロック、打抜きブロックもしくは布帛、円錐形のキャスト成形品、成型部品、ホイル製の小片、またはそれらの組み合わせなど、１つまたは複数の押出成形部品とすることができる。１つまたは複数のスペーサは、ゴム、シリコン、発泡体、セルロース、布、紙など、弾性材料、可撓性材料、柔軟な材料、ばね様材料、および／または支持材料から形成するように作製することができる。１つまたは複数のスペーサは、概して同じ高さのものとすることができるか、または高さは、快適に乗員を支持するためにばらつきがあってよい。好ましくは、１つまたは複数のスペーサは、互いに面一になるようにキャリア上で１列または複数列に配置される。１つまたは複数のスペーサは、互いに隣接するようにキャリア上に配置することができる。スペーサの少なくとも一部が、空き空間なしで、キャリア上で互いのすぐ隣に配置される場合は、例えば１部片のスペーサよりも柔軟性を高めることになる。１つまたは複数のスペーサは任意の適切な形状を有することができる。例えば、１つまたは複数のスペーサは、円錐、丸形、マッシュルーム頭様、細長い、筒状、リング形もしくは立方体、丸形、および／またはジグザグ形でよい。１つまたは複数のスペーサは、あらゆる目的のためにその全体が本明細書に参照により組み込まれる、米国特許第８，７７７，３２０（Ｂ２）号に開示されるスペーサと同様のものでよい。
【００２０】
１つまたは複数のスペーサ層またはキャリアは、１つまたは複数のフランジ用開口部を含むことができる。１つまたは複数のフランジ用開口部は、１つもしくは複数のコネクタの少なくとも一部分、１つもしくは複数の上側フランジ、１つもしくは複数のダイバータ、またはそれらの組み合わせを受けるように機能することができる、キャリアの任意の開口部または通路とすることができる。１つまたは複数のフランジ用開口部は、１つまたは複数のエアムーバと、乗員、支持装置、１つもしくは複数の空気分配構造、１つもしくは複数のスペーサ層、またはそれらの組み合わせとの間を空気が移動できるように、経路を設けることができる。１つまたは複数のフランジ用開口部は、キャリアの任意の開口部（すなわち、スリット、隙間、開口部、裂け目、孔、通路、空所など）とすることができる。１つまたは複数のフランジ用開口部は、キャリア上のどこにでも配置することができる。
【００２１】
１つまたは複数のスペーサ層は、１つまたは複数のボス用開口部および１つまたは複数の位置合わせ用開口部をキャリアに含むことができる。ボス用開口部は、コネクタの対応するボスを受けることができる。１つまたは複数のボス用開口部は、対応するボスと協働して、スペーサ層、空気分配構造、またはその両方と、コネクタ、エアムーバ、またはその両方との連結を形成することができる。１つまたは複数のボス用開口部は、１つまたは複数のコネクタの対応するボスと協働して、１つまたは複数のコネクタおよび１つまたは複数のエアムーバを、１つもしくは複数のスペーサ層、空気分配構造、またはその両方と位置合わせすることができる。１つまたは複数のボス用開口部は、１つまたは複数のコネクタの対応するボスと協働してポカヨケ特徴部を形成することができ、そうすることで、１つまたは複数のコネクタおよび１つまたは複数のエアムーバを、１つもしくは複数のスペーサ層、空気分配構造、またはその両方に、単一の全体的な配向にのみ取り付けることができる。１つまたは複数のボス用開口部は、１つまたは複数のボスを受けるための任意の適切な形状およびサイズでよい。例えば、１つまたは複数のボス用開口部は、楕円形、正方形、三角形、星形、対称形、非対称形、五角形、八角形などとすることができる。好ましくは、１つまたは複数のボス用開口部は丸形である。好ましくは、１つまたは複数のボス用開口部は、対応する１つまたは複数のボスとの締まり嵌めが生み出されるようなサイズにされる。
【００２２】
１つまたは複数の位置合わせ用開口部は、１つもしくは複数のコネクタ、１つもしくは複数のエアムーバ、またはその両方を、１つもしくは複数のスペーサ層、１つもしくは複数の空気分配構造、またはその両方に取り付けるための、コネクタの対応する１つまたは複数の位置合わせポストを受けるように機能することができる。キャリアの１つまたは複数の位置合わせ用開口部は、位置合わせポストと協働して、１つまたは複数のコネクタおよび１つまたは複数のエアムーバを、１つもしくは複数のスペーサ層、空気分配構造、またはその両方と位置合わせすることができる。１つまたは複数の位置合わせ用開口部は、１つまたは複数のコネクタの対応する位置合わせポストと協働してポカヨケ特徴部を形成することができ、そうすることで、１つまたは複数のコネクタおよび１つまたは複数のエアムーバを、１つもしくは複数のスペーサ層、空気分配構造、またはその両方に、単一の全体的な配向にのみ取り付けることができる。１つまたは複数の位置合わせ用開口部は、対応する位置合わせポストの形状に概して対応する任意の適切な形状とすることができる。例えば、１つまたは複数の位置合わせ用開口部は、楕円形、正方形、三角形、星形、対称形、非対称形、五角形、八角形などとすることができる。好ましくは、１つまたは複数の位置合わせ用開口部は概して丸形である。好ましくは、１つまたは複数の位置合わせ用開口部は、対応する１つまたは複数の位置合わせポストとの締まり嵌めが生み出されるようなサイズにされる。
【００２３】
一部の温度調節装置は、１つまたは複数のスペーサ層上に配設されて、袋構造でもよい空気分配構造を形成する、１つまたは複数のカバー層を含むことができる。１つまたは複数のカバー層および１つまたは複数のスペーサ層は、それらの縁部でシールされて、空気不透過性の空気分配構造または袋構造を形成することができる。１つまたは複数のカバー層および１つまたは複数のスペーサ層は、任意の適切な方法またはファスナによってシールすることができる。例えば、それら層は、接着剤、縫合、ステープル、空気不透過性ジッパなど、またはそれらの組み合わせを用いて、一緒にシールすることができる。好ましくは、それら層は、ＩＲ、ＲＦ、または超音波溶着法によってその外周でシールされる。好ましくは、カバー層は、空気不透過性であり、１つまたは複数の上側開口部を含む。空気分配構造または袋構造は、それら層間に開放空間を含むことができる。
【００２４】
空気分配構造は、エアムーバと乗員との間またはその逆に空気を移送および／または移動するための、シールされた構造または実質的にシールされた構造を設けるように機能することができる。空気分配構造は、エアムーバ（プッシュモード）によって供給される空気を受けることができ、カバー層の１つもしくは複数の上側開口部または空気透過性クッションを介して、空気を支持装置、支持装置の１つもしくは複数の部分、またはそれらの組み合わせに分配することができる。１つもしくは複数の上側開口部または空気透過性クッションを介して、空気分配構造は、支持装置、支持装置の近傍領域、支持装置の１つもしくは複数の部分、クッション、またはそれらの組み合わせから、エアムーバ（プルモード）に空気を除去するかまたは集めることを助けることができる。コネクタ、上側フランジ、および／またはダイバータは、スペーサ層の１つまたは複数のフランジ用開口部を通って、スペーサ層とカバー層との間、またはスペーサ層とクッションとの間の空気分配構造に画定される開放空間中に延びることができる。１つまたは複数の上側開口部は、１つまたは複数のカバー層上の任意の適切な位置にあってよい。空気分配構造が支持層およびカバー層を備える場合は、空気分配構造は、支持装置、支持装置の一部分（すなわち、座面部分）、またはクッションの空隙、凹所もしくは開口部に受け入れることができる。カバー層を備える空気分配システムでは、カバー層は、支持装置の底面もしくは側面、支持装置の一部分（すなわち、座面部分）、クッション、またはそれらの組み合わせに取り付けることができる。
【００２５】
１つまたは複数のエアムーバは、１つもしくは複数のスペーサ層、１つもしくは複数の空気分配構造、またはその両方に、１つまたは複数のコネクタを介して取り付けることができる。１つまたは複数のコネクタは、１つまたは複数のエアムーバを、１つもしくは複数のスペーサ層、１つもしくは複数の空気分配構造、またはその両方に確実に取り付けるように機能することができる。１つまたは複数のコネクタは、１つまたは複数のエアムーバを、１つもしくは複数のスペーサ層、１つもしくは複数の空気分配構造、またはその両方に着脱可能なように取り付けるように機能することができる。１つまたは複数のコネクタは、１つまたは複数のエアムーバからの空気の流れを、１つもしくは複数のスペーサ層の周りに、または１つもしくは複数の空気分配構造中およびその周りに、またはその両方において方向転換するように機能することができる。１つまたは複数のコネクタは、１つまたは複数のエアムーバと、１つもしくは複数のスペーサ層、１つもしくは複数の空気分配構造、またはその両方との間の空気の流れを遮断することを防止するように機能することができる。すなわち、１つまたは複数のコネクタは、エアムーバと、１つもしくは複数のスペーサ層、１つもしくは複数の空気分配構造、またはその両方との間を延びる空気流の妨害を防止するように機能することができる。例えば、乗員の体重が座面部分など支持装置の一部分を押圧するときに、１つまたは複数のコネクタによって、座面部分、スペーサ層、クッション、空気分配構造、またはそれらの組み合わせが、１つまたは複数のエアムーバと、１つもしくは複数のスペーサ層、１つもしくは複数の空気分配構造、またはその両方との間の空気の流れの移動および妨害を抑制または防止することができる。
【００２６】
１つまたは複数のコネクタは、前述のコネクタの機能のうちの１つまたは複数を実行できる任意の装置とすることができる。１つまたは複数のコネクタはベースを含むことができる。ベースは、コネクタの１つまたは複数の特徴部を支持することができる。ベースは、プラスチックなど任意の適切な材料から作製することができる。ベース、コネクタの１つまたは複数の特徴部、またはその両方を、任意の適切な方法によって作製することができる。例えば、ベース、コネクタの１つまたは複数の特徴部、またはそれらの組み合わせは、キャスト成形、射出成形、真空成形、３Ｄプリント、ブロー成形などをすることができる。
【００２７】
ベースはタブを含むことができ、タブは、コネクタを、１つもしくは複数のスペーサ層、袋構造、またはその両方に取り付けるのを助けることができる。タブは、１つもしくは複数のスペーサ層、袋構造、またはその両方からコネクタを取り除くことを支援して、温度調節装置、支持装置、またはそれらの組み合わせの任意の構成要素の点検を容易にするように機能することができる。タブは、コネクタの製造を支援するように機能することができる。例えば、タブは、コネクタが射出成形プロセスによって作製される場合に、ゲートが配置される位置にあってよい。
【００２８】
ベースは、その厚さを貫通する通路を含むことができる。通路は、１つまたは複数のエアムーバと、１つもしくは複数のスペーサ層、空気分配構造、支持装置、またはそれらの組み合わせとの間で空気が移動する経路を設けるように機能することができる。通路は、ベース上の任意の適切な位置に配置することができる。好ましくは、通路は、ベースの中央領域に配置される。
【００２９】
ベースは１つまたは複数の振動絶縁部を含むことができる。１つまたは複数の振動絶縁部は、１つまたは複数のエアムーバによって引き起こされる振動を減衰させるように機能することができる。１つまたは複数の振動絶縁部は、所望の締付け力がコネクタと、スペーサ層、空気分配構造、またはその両方との間に確実に生じるように機能することができる。１つまたは複数の振動絶縁部は、前述の機能のうちの１つまたは複数を実行できる任意の適切な装置または構造とすることができる。１つまたは複数の振動絶縁部は、ベースの上面、ベースの下面、またはその両方に配設さすることができる。好ましくは、１つまたは複数の振動絶縁部は、第１の振動絶縁部および第２の振動絶縁部を備える。振動絶縁部の一方（すなわち、第１の振動絶縁部）は、ベースの上面全体に沿って配置することができる。好ましくは、振動絶縁部の一方は、ベースの上面と、スペーサ層のキャリア、空気分配構造、またはその両方との間の空間に配置されるかまたは挟まれる。第１の振動絶縁部は、上側フランジの片側または好ましくは上側フランジの両側に配置される。他方の振動絶縁部（すなわち、第２の振動絶縁部）は、ベースの下面に沿って配置することができる。他方の振動絶縁部は、ベースの下面全体に沿って配置することができるか、または好ましくは、下面と、エアムーバのハウジングとの間の空間の下面に少なくとも部分的に沿って配置することができる。第１の振動絶縁部および第２の振動絶縁部は互いに同じでも異なっていてもよい。例えば、第１の振動絶縁部および第２の振動絶縁部は、同じ材料から作製しても異なる材料から作製してもよく、かつ／または、圧縮特性および振動減衰特性が同じ材料から作製しても異なる材料から作製してもよい。振動絶縁部の厚さ（すなわち、断面）は、ベース表面と、ベースが接触する表面または部分との間の空間の量に応じて、同じでも異なっていてもよい。振動絶縁部のうちの１つまたは複数は、対応するベース表面に沿って配設される材料の外皮部分でよい。本明細書で用いるように、上面は、スペーサ層の底面、キャリア、空気分配構造、またはそれらの組み合わせを向くことができる。下面はエアムーバのハウジングを向くことができる。１つまたは複数の振動絶縁部は任意の適切な材料から作製することができる。例えば、振動絶縁部は、発泡体、ゴム、プラスチックなどを含むことができる。１つまたは複数の振動絶縁部は、コネクタと、スペーサ層、空気分配構造、エアムーバ、またはそれらの組み合わせとの間の空間をふさぐことができる、１つまたは複数のペグ、ポスト、つまみ、窪み、オフセットなどでよい。好ましくは、１つまたは複数の振動絶縁部は少なくとも部分的に圧縮可能である。
【００３０】
１つまたは複数のコネクタは上側フランジを含むことができる。上側フランジは、スペーサ層のフランジ用開口部を通って、または空気分配構造の開放空間中に、またはその両方において延びるように機能することができる。スペーサ層、カバー層、空気分配構造、クッション、支持装置、またはそれらの組み合わせが、支持装置上の乗員の体重または荷重によって移動し、曲がり、および／または縮むときに、上側フランジは、ベースの通路の妨害を防止するように機能することができる。上側フランジは、前述の機能のうちの１つまたは複数を実行するように機能できる、任意の装置または特徴部とすることができる。上側フランジはベースからずれているかまたは隆起してよい。好ましくは、上側フランジは、１つまたは複数の支持体を介してベースからずらされていてよい。上側フランジは、任意の適切な距離だけベースからずらされていてよい。例えば、上側フランジは、１つもしくは複数のスペーサの高さ、１つもしくは複数のスペーサ層と１つもしくは複数のカバー層との間の開放空間の高さ、またはそれらの組み合わせ以下の距離だけ、ベースからずれていてよい。ベースからの上側フランジの高さは約５ｍｍ以上、約８ｍｍ以上、約９ｍｍ以上、または約９．５ｍｍ以上でよい。ベースからの上側フランジの高さは約２０ｍｍ以下、約１５ｍｍ以下、約１３ｍｍ以下、または約１２．５ｍｍ以下でよい。好ましくは、ベースからの上側フランジの高さは約１０ｍｍまたは約１２ｍｍである。
【００３１】
上側フランジはダイバータを含むことができる。スペーサ層、カバー層、空気分配構造、クッション、支持装置、または他の任意の層もしくは装置、あるいはそれらの任意の組み合わせが、支持装置のまたはその上の乗員の体重または荷重によって曲がりかつ／または縮むときは、上側フランジ、ダイバータ、またはその両方は、ベースの通路の遮断または妨害を防止するように機能することができる。上側フランジ、ダイバータ、またはその両方は、１つまたは複数のエアムーバから、スペーサ層へ、または空気分配構造内で、またはその両方において、空気流の方向を偏向するかまたは方向転換するように機能することができる。言い換えれば、上側フランジ、ダイバータ、またはその両方は、コネクタに入る空気の流れを変更および／または移行するように機能することができる。すなわち、空気の流れは、通路の縦軸に実質的に沿う流路に沿って通路に入ることができ、上側フランジ、ダイバータ、またはその両方は、流路の方向を、通路の軸に概して垂直な軸に実質的に沿うように変更することができる。説明方法を換えれば、上側フランジ、ダイバータ、またはその両方は、エアムーバから流れ、その後、スペーサ層に沿って、または空気分配構造内で、またはその両方において急に方向転換される空気によって生じることがある背圧を低減するように機能することができる。空気は、クッションの底面、カバー層の底面または内面などであり得る平坦な壁に当たるときに、急に方向転換することができる。ダイバータは、前述の機能のうちの１つまたは複数を実行するように機能できる、任意の装置または特徴部とすることができる。ダイバータは任意の適切な形状を有することができる。例えば、ダイバータは、丸形、正方形、台形、異形、対称形、非対称形などでよい。好ましくは、ダイバータは円錐形状を有する。円錐形のダイバータは、通路の中心軸と概して位置合わせされる先端部または頂点を含むことができる。円錐形のダイバータは、１つまたは複数のエアムーバからの空気を、スペーサ層の周りで、または袋構造内で、またはその両方において、より効率的にかつ一様に偏向または方向転換するように機能することができる。様々な実施形態において、ダイバータは、空気流の方向において拡大する衝突領域を設けることができる。衝突領域は、ダイバータの先端部または頂点の最初の比較的小さい領域から、コネクタのベースなど、先端部または頂点から離れたより大きい領域まで拡大することができる。拡大した衝突領域は、空気の流れがエアムーバからスペーサ層、空気分配構造、またはその両方に移動するときに方向を変えると、空気流の乱れを減らすのを助けるように機能することができる。一部の構成では、衝突領域は実質的に平坦でもよい。この点で、衝突領域は、通路を貫通する縦軸および／または上側フランジの表面に実質的に垂直でよい。言い換えれば、衝突領域、ダイバータ、またはその両方は、円錐形ではなく、平坦なプレート様の構造でよい。円錐形のダイバータデフレクタは、コネクタの製造性を改善することができる。ダイバータは、スペーサ層のフランジ用開口部を通って、または空気分配構造の開放空間中に、またはその両方において延びることができる。ダイバータはベースからずらされているかまたは隆起してよい。ダイバータは、任意の適切な距離だけベースからずらされていてよい。例えば、ダイバータは、１つまたは複数のスペーサの高さ、１つもしくは複数のスペーサ層と１つもしくは複数のカバー層との間の開放空間の高さ、またはそれらの組み合わせ以下の距離だけ、ベースからずらされていてよい。ベースからのダイバータの高さは、約５ｍｍ以上、約８ｍｍ以上、約９ｍｍ以上、または約９．５ｍｍ以上でよい。ベースからのダイバータの高さは、約２０ｍｍ以下、約１５ｍｍ以下、約１３ｍｍ以下、または約１２．５ｍｍ以下でよい。好ましくは、ベースからのダイバータの高さは約１０ｍｍまたは約１２ｍｍである。ダイバータは、１つまたは複数の支持体によってベースからずらされていてよい。
【００３２】
上側フランジ、デフレクタ、またはその両方は、１つまたは複数の支持体によってベースからずらされていてよい。１つまたは複数の支持体は、上側フランジ、ダイバータ、またはその両方を支持することができる。１つもしくは複数の支持体、上側フランジ、ダイバータ、またはそれらの組み合わせは、ベースから延びるドーム様の形状を形成することができる。１つまたは複数の支持体は、１つまたは複数のエアムーバと、スペーサ層、空気分配構造、またはその両方との間の空気流を偏向および／または方向転換するのを支援することができる。１つまたは複数の支持体は、下側フランジに対してベースから概して上向きに延びることができる。１つまたは複数の支持体は任意の適切な形状でよい。例えば、１つまたは複数の支持体は、角度がついている、丸形、湾曲、異形、対称形、非対称形などでよい。好ましくは、１つまたは複数の支持体は概して直線形である。１つまたは複数の支持体は、ベースから、ベースの上面に対して概して垂直な方向に延びることができる。１つまたは複数の支持体は、コネクタのベースの通路を貫通する中心軸に概して平行に延びることができる。
【００３３】
１つまたは複数のコネクタは１つまたは複数のボスを含むことができる。１つまたは複数のボスは、１つもしくは複数のコネクタ、エアムーバ、またはその両方を、１つもしくは複数のスペーサ層、空気分配構造、またはその両方に取り付けるように機能することができる。１つまたは複数のボスは、１つもしくは複数のコネクタ、エアムーバ、またはその両方を、１つもしくは複数のスペーサ層、空気分配構造、またはその両方に着脱可能なように取り付けるように機能することができる。１つまたは複数のボスは、ボス用開口部と協働して、１つまたは複数のコネクタおよび１つまたは複数のエアムーバを、１つもしくは複数のスペーサ層、空気分配構造、またはその両方と位置合わせすることができる。１つまたは複数のボスは、対応するボス用開口部と協働して、ポカヨケを形成することができ、そうすることで、１つもしくは複数のコネクタ、エアムーバ、またはその両方を、１つもしくは複数のスペーサ層、空気分配構造、またはその両方に、単一の全体的な配向にのみ取り付けることができる。１つまたは複数のボスは、前述の機能のうちの１つまたは複数を実行するように機能できる、任意の適切な特徴部とすることができる。１つまたは複数のボスは、対応するボス用開口部の形状に概して対応する任意の適切な形状を有することができる。例えば、１つまたは複数のボスは、楕円形、正方形、三角形、星形、対称形、非対称形、五角形、八角形などとすることができる。好ましくは、１つまたは複数のボスは概して丸形である。好ましくは、１つまたは複数のボスは、対応する１つまたは複数のボス用開口部との締まり嵌めが生み出されるようなサイズにされる。１つまたは複数のボスは、１つまたは複数のコネクタを、１つもしくは複数のスペーサ層、袋構造、またはその両方にロックするかまたは固定するように機能できる、１つまたは複数のかえし、プロング、フィンガなどを含むことができる。１つまたは複数のかえしは、スペーサ層の材料の厚さがプロングとベースとの間に嵌まるように十分な距離だけ、ベースの上面からずらされていてよい。
【００３４】
１つまたは複数のコネクタは、１つまたは複数の位置合わせポストを含むことができる。１つまたは複数の位置合わせポストは、１つまたは複数のコネクタを、１つもしくは複数のスペーサ層、空気分配構造、またはその両方に取り付けるように機能することができる。１つまたは複数の位置合わせポストは、１つまたは複数のコネクタを、１つもしくは複数のスペーサ層、空気分配構造、またはその両方に着脱可能なように取り付けるように機能することができる。１つまたは複数の位置合わせポストは、位置合わせ用開口部と協働して、１つまたは複数のコネクタおよび１つまたは複数のエアムーバを、１つもしくは複数のスペーサ層、空気分配構造、またはその両方と位置合わせすることができる。１つまたは複数の位置合わせポストは、対応する位置合わせ用開口部と協働して、ポカヨケを形成することができ、そうすることで、１つまたは複数のコネクタを、１つまたは複数のスペーサ層、空気分配構造、またはその両方に、単一の全体的な配向にのみ取り付けることができる。１つまたは複数の位置合わせポストは、対応する位置合わせ用開口部の形状に概して対応する、任意の適切な形状を有することができる。例えば、１つまたは複数の位置合わせポストは、楕円形、正方形、三角形、星形、対称形、非対称形、五角形、八角形などとすることができる。好ましくは、１つまたは複数の位置合わせポストは概して丸形である。好ましくは、１つまたは複数の位置合わせポストは、対応する１つまたは複数の位置合わせ用開口部との締まり嵌めが生み出されるようなサイズである。
【００３５】
１つまたは複数のコネクタは下側フランジを含むことができる。下側フランジは、エアムーバをコネクタに連結するように機能することができる。下側フランジは、エアムーバをコネクタに確実にかつ／または着脱可能なように取り付けるように機能することができる。下側フランジは、１つまたは複数のエアムーバを、１つまたは複数の通路、１つもしくは複数のスペーサ層、袋構造、支持装置の乗員もしくは荷重、またはそれらの組み合わせと位置合わせするように機能することができる。下側フランジは、エアムーバと、スペーサ層、空気分配構造、またはその両方との間を動く空気が遮断されないように、ベースの通路、上側フランジ、ダイバータ、またはそれらの組み合わせと概して位置合わせすることができる。１つまたは複数の通路は、ダイバータと実質的に同じサイズでよい。すなわち、通路の断面はダイバータの断面と実質的に同じでよい。
【００３６】
下側フランジは１つまたは複数のフィンガを含むことができる。フィンガは、エアムーバの開口部に付くように機能することができる。フィンガのうちの１つまたは複数はロックフィンガでよい。１つまたは複数のロックフィンガは、エアムーバをコネクタに固定して取り付けるように機能することができる。フィンガ、ロックフィンガ、またはその両方は、フィンガが締まり嵌めによってエアムーバの開口部に係合できるように付勢することができる。
【００３７】
一部の構成では、コネクタは、上側フランジ、ダイバータ、下側フランジ、および振動絶縁部を含むことができる。すなわち、一部の構成では、コネクタは、ベースを除き、上記に記載した特徴部を含むことができる。これら構成では、上側フランジは、前述の上側フランジの機能のうちの１つまたは複数を実行でき、ダイバータは、前述のダイバータの機能のうちの１つまたは複数を実行でき、下側フランジは、前述の下側フランジの機能のうちの１つまたは複数を実行でき、１つまたは複数の振動絶縁部は、前述の振動絶縁部の機能のうちの１つまたは複数を実行することができる。
【実施例】
【００３８】
図１は車両１００の側面図である。車両１００は支持装置１１０を含む。支持装置１１０は、座面部分１１２、背もたれ部分１１４、およびヘッドレスト１１６を備える。座面部分１１２、背もたれ部分１１４、およびヘッドレスト１１６のうちの１つまたは複数が、クッション１１８および温度調節装置１０を含む。
【００３９】
図２は温度調節装置１０の斜視図である。温度調節装置１０は、袋構造でよい空気分配構造１４と連通するエアムーバ１２と、ダクト１６とを含む。空気分配構造１４は、スペーサ層１８とカバー層２０との間に画定される開放空間３４を含む。スペーサ層１８は、平坦なまたは起伏のあるシートまたはキャリア１９と、キャリア１９のフランジ用開口部２２（図示せず）と、キャリア１９上の複数のスペーサ２４とを含む。カバー層２０は１つまたは複数の上側開口部２６を含む。スペーサ層１８とエアムーバ１２との間にコネクタ２８が配置される。コネクタ２８は、スペーサ層１８のフランジ用開口部２２を通って開放空間３４中に延びる上側フランジ３０を含む。コネクタ２８は、エアムーバ１２の開口部と連通する下側フランジ４４（図示せず）も含む。空気分配構造１４は、例えば座面部分１１２など、支持装置１１０の任意の部分に取り付けることができる。ダクト１６は、エアムーバ１２の別の開口部と連通し、背もたれ部分１１４など、支持装置１１０の任意の部分に取り付けることができる。ダクト１６は、ヘッドレスト１１６など支持装置１１０の任意の部分に温度調節装置１０を連結するダクトコネクタ３２を含む。
【００４０】
図３は温度調節装置１０の斜視図である。温度調節装置１０は、スペーサ層１８と連通するエアムーバ１２を含む。スペーサ層１８は空気分配構造１４になり得る。つまり、スペーサ層１８は、座面部分１１２のクッション１１８（図１）など、乗員支持装置１１０の任意の部分に取り付けて空気分配構造１４を形成することができる。エアムーバ１２はハウジング８０を含む。スペーサ層１８はキャリア１９を含み、キャリア１９は、フランジ用開口部２２と、一対のボス用開口部３６と、一対の位置合わせ用開口部３８とを有する。スペーサ層１８とエアムーバ１２との間にコネクタ２８が配設される。コネクタ２８は上側フランジ３０を含み、上側フランジ３０は、フランジ用開口部２２を通ってスペーサ層１４とクッション１１８との間に画定される開放空間中に延びるように構成される。コネクタ２８はまた、対応するボス用開口部３６を貫通するように構成される一対のボス４０と、対応する位置合わせ用開口部３８を貫通するように構成される一対の位置合わせポスト４２と、エアムーバ１２の開口部４６と連通する下側フランジ４４（図示せず）とを含む。エアムーバ１２の別の開口部４８が、ダクト（図１参照）または周囲の外気と連通することができる。
【００４１】
図４Ａ、図４Ｂ、および図４Ｃはさらにコネクタ２８を示す。コネクタ２８はベース５０および通路５２を含む。上側フランジ３０、ボス４０、および位置合わせポスト４２はベース５０の上面から延びる。通路５２はベース５０の厚さを貫通する。ベース５０はタブ５４を含む。上側フランジ３０は、支持体６０によってベース５０からずらされたダイバータ５８を含む。ダイバータ５８は通路５２に向かって延びる。ダイバータ５８は衝突領域７０を含む。衝突領域７０は、先端部５６の最初の比較的小さい領域から、上側フランジ３０の表面７２など先端部５６から離れたより大きい領域まで拡大する。ボス４０がスペーサ層１８の対応するボス用開口部３６に受け入れられると、１つまたは複数のかえし６２がスペーサ層１８に係合することができる。下側フランジ４４はフィンガ６４およびロックフィンガ６６を含む。フィンガ６４、６６は、エアムーバ１２の開口部４６をコネクタ２８に取り付けるように協働する。上側フランジ３０、ダイバータ５８の頂点５６、通路５２、および下側フランジ４４は、概して、縦軸６８に沿って位置合わせされる。
【００４２】
温度調節装置１０は、座面部分１１２など、支持装置１１０の任意の部分に取り付けることができる。一部の例では、乗員の体重によって座面部分１１２が少なくとも部分的に縮むことがあるが、コネクタ２８は、縮んだ座面部分１１２がエアムーバ１２と、スペーサ層１８、空気分配構造１４、またはその両方との間の空気の流れを妨害または制限することを防止することができる。さらに、上側フランジ３０、ダイバータ５８、衝突領域７０、および／または支持体６０は、エアムーバ１２によって供給される空気の流れを、スペーサ層１８に沿って、または空気分配構造１４に、またはその両方において分配することができる。
【００４３】
図５はコネクタ２８の断面を示す。コネクタ２８はベース５０を含む。ベース５０は、ベース５０の上面７６に少なくとも部分的に沿って配置される第１の振動絶縁部７４を含む。第１の振動絶縁部７４は、ベース５０の上面７６と、スペーサ層１８のキャリア１９、空気分配構造１４、またはその両方との間の空間に配置される（図２および図３）。ベース５０は、ベース５０の下面７８に少なくとも部分的に沿って配置される第２の振動絶縁部７５を含む。第２の振動絶縁部７５は、ベース５０の下面７８と、エアムーバ１２のハウジング８０との間の空間に配置される（図３）。図５のコネクタ２８は、図４Ａ〜図４Ｃのコネクタ２８に説明および記載される特徴部のうちの１つまたは複数を含むことができる。
【００４４】
図６は、スペーサ層１８に取り付けられたコネクタ２８の断面を示す。図６のコネクタ２８は、ベース５０を除き、図４Ａ〜図５のコネクタ２８に説明および記載される特徴部（すなわち、上側フランジ３０、下側フランジ５２、ダイバータ５８など）のうちの１つまたは複数を含むことができる。コネクタ２８は、第１の振動絶縁部７４がキャリア１９とコネクタ２８との間に挟まれるように、スペーサ層１８に取り付けられる。エアムーバ１２のハウジング８０（図３）は、第２の振動絶縁部７５と、フィンガ４４のうちの１つから延びるクリップ８２との間に挟まれる。
【００４５】
本発明で列挙される数値はいずれも、任意の低い値と任意の高い値との間に少なくとも２単位の隔たりがある場合、低い値から高い値まで１単位ずつ増加する全ての値を含む。一例として、構成要素の量、または例えば、温度、圧力、時間などのプロセス変量の値が例えば、１から９０、好ましくは２０から８０、より好ましくは３０から７０であると記される場合、１５から８５、２２から６８、４３から５１、３０から３２などの値が本明細書に明確に列挙されることが意図される。１未満の値の場合は、１単位は必要に応じて０．０００１、０．００１、０．０１または０．１であるとみなされる。これらは具体的に意図された単なる例であり、列挙される最低値と最高値との間にある数値の可能な組み合わせは全て、同様にして本明細書に明記されていると考えるべきである。理解できるように、本明細書に「重量部（parts by weight）」として表される量の教示は、重量パーセントによって表される同じ範囲も企図する。したがって、本教示の詳細な説明における「得られたポリマーブレンド組成物の「ｘ」重量部」の範囲の表現は、得られたポリマーブレンドの組成物の「ｘ」重量パーセントと同じ記載量の範囲の教示も企図する。
【００４６】
別段の言及がない限り、全ての範囲が両方の端点およびその端点間の全ての数を含む。範囲に関して用いられる「約（about）」または「約（approximately）」はその範囲の両端に適用される。したがって、「約２０から３０（about 20 to 30）」とは、少なくとも明示された端点を含む「約２０から約３０（about 20 to about 30）」を包含するものである。
【００４７】
特許出願および特許公報を含む全ての論文および参考文献の開示は、あらゆる目的のために援用される。組み合わせを説明する用語「本質的に成る（consisting essentially of）」は、特定の要素、材料、構成要素またはステップと、その組み合わせの基本的かつ新たな特徴に事実上影響を及ぼさない他の要素、材料、構成要素またはステップとを含むものとする。本明細書の要素、材料、構成要素またはステップの組み合わせを説明する用語「備える（comprising）」または「含む（including）」の使用は、それらの要素、材料、構成要素またはステップから本質的に成る実施形態も企図する。
【００４８】
複数の要素、材料、構成要素またはステップは、単一の統合された要素、材料、構成要素またはステップで提供することができる。あるいは、単一の統合された要素、材料、構成要素またはステップは、別々の複数の要素、材料、構成要素またはステップに分割することができる。要素、材料、構成要素またはステップを説明する「１つ（a）」または「１つ（one）」の開示は、追加の要素、材料、構成要素またはステップを除外するものではない。
【００４９】
上記の記載が例示的であり、限定的でないことが意図されると理解される。上記の記載を読むと、提示される例以外に多くの実施形態ならびに多くの応用例が当業者には明らかであろう。したがって、本教示の範囲は、上記の記載に関して判定されるべきではなく、その代わりに、添付の特許請求の範囲に関して、そのような特許請求の範囲が権利を与えられる等価物の全範囲と併せて、判定されるべきである。特許出願および特許公報を含む全ての論文および参考文献の開示は、あらゆる目的のために援用される。本明細書に開示される主題の任意の態様に関する以下の特許請求の範囲における省略は、そのような主題の放棄ではなく、発明者らがそのような主題を開示された発明の主題の一部であると考えないと見なされるべきではない。
【図１】
2020008279.tif 000003
【図２】
2020008279.tif 000004
【図３】
2020008279.tif 000005
【図４Ａ】
2020008279.tif 000006
【図４Ｂ】
2020008279.tif 000007
【図４Ｃ】
2020008279.tif 000008
【図５】
2020008279.tif 000009
【図６】
2020008279.tif 000010
【手続補正書】
【提出日】令和1年9月30日(2019.9.30)
【手続補正１】
【補正対象書類名】特許請求の範囲
【補正対象項目名】全文
【補正方法】変更
【補正の内容】
【特許請求の範囲】
【請求項１】
ベースと、
前記ベースの上面から離隔されたダイバータと、
前記ベース内に画定された通路と、
前記ベースの底面から延びる付勢可能な１つまたは複数のフィンガと、
を備える、コネクタであって、
前記ダイバータは前記通路内に嵌まるサイズであり、
前記コネクタは、エアムーバを車両のシート内に配置された空気分配システムに連結するように構成される、
コネクタ。
【請求項２】
前記通路を向く前記ダイバータの面は円錐形である、請求項１に記載のコネクタ。
【請求項３】
前記通路を向く前記ダイバータの面は概して平らである、請求項１に記載のコネクタ。
【請求項４】
前記コネクタは、前記ベースの縁から延びるタブを備える、請求項１に記載のコネクタ。
【請求項５】
前記コネクタは、前記コネクタを前記空気分配システムに連結するように構成されたかえしを有するボスを備え、
前記空気分配システムの層の厚さは前記かえしと前記ベースの間に嵌まるように構成される、請求項１〜４のいずれか一項に記載のコネクタ。
【請求項６】
前記ベースの上面は、前記空気分配システムの底面と接触するように構成される、請求項１〜４のいずれか一項に記載のコネクタ。
【請求項７】
ベースと、
前記ベースの表面から離隔されたダイバータを備える上側フランジと、
前記ベース内に画定された通路と、
を備える、コネクタであって、
前記コネクタは、エアムーバを車両のシート内に配置された空気分配システムに直接的または間接的に連結するように構成され、
前記上側フランジは、少なくとも部分的に前記空気分配システムのスペーサ層内に画定された開口部を通って延びるように構成される、
コネクタ。
【請求項８】
前記通路を向く前記ダイバータの面は円錐形である、請求項７に記載のコネクタ。
【請求項９】
前記通路を向く前記ダイバータの面は概して平らである、請求項７に記載のコネクタ。
【請求項１０】
前記ダイバータは、少なくとも３つの支持体によって前記ベースから離隔される、請求項７〜９のいずれか一項に記載のコネクタ。
【請求項１１】
前記コネクタはボスを備え、前記ボスは前記スペーサ層内に画定されたボス用開口部を貫通するように構成される、請求項７に記載のコネクタ。
【請求項１２】
前記コネクタは前記ベースから延びる第２のボスを備え、前記ボスは前記ダイバータの片側に配置され、前記第２のボスは前記ダイバータのもう一方の側に配置され、前記第２のボスは前記スペーサ層内に画定された第２のボス用開口部を貫通するように構成される、請求項１１に記載のコネクタ。
【請求項１３】
ベースと、
前記ベース内に画定された通路と、
前記ベースから離隔されたダイバータと、
ボスと、
を備える、コネクタであって、
前記コネクタは、エアムーバを車両のシート内に配置された空気分配システムに直接的または間接的に連結するように構成され、前記空気分配システムはスペーサ層を備え、
前記コネクタは、前記ボスの一部分と前記ベースの表面との間に前記スペーサ層の厚さを受け入れるように構成される、
コネクタ。
【請求項１４】
前記ボスの一部分はプロングまたはかえしである、請求項１３に記載のコネクタ。
【請求項１５】
前記コネクタは第２のボスを備え、前記コネクタは、前記第２のボスの一部分と前記ベースの表面との間に前記スペーサ層の厚さを受け入れるように構成される、請求項１４に記載のコネクタ。
【請求項１６】
前記ボスは前記ダイバータの片側に配置され、前記第２のボスは前記ダイバータのもう一方の側に配置される、請求項１５に記載のコネクタ。
【請求項１７】
位置合わせポストが前記ボスと前記ダイバータとの間に配置される、請求項１３〜１６のいずれか一項に記載のコネクタ。
【請求項１８】
前記スペーサ層は、前記ボスが少なくとも部分的に貫通するように構成されたボス用開口部と、第２のボスが貫通するように構成された第２のボス用開口部とを備える、請求項１３〜１６のいずれか一項に記載のコネクタ。
【請求項１９】
前記スペーサ層は、前記ダイバータが少なくとも部分的に通って延びるように構成された開口部を備える、請求項１３〜１６のいずれか一項に記載のコネクタ。
【請求項２０】
前記通路を向く前記ダイバータの面は円錐形である、請求項１３〜１６のいずれか一項に記載のコネクタ。